(57)【特許請求の範囲】
【請求項１】
本体の上面に設けられ機器の動作を指示する複数の操作ボタンを備えるとともに運転状態を表示する表示操作部と、本体の前記表示操作部とは異なる面に設けられた表示部とを有する加湿器において、操作ボタンの操作により前記表示操作部および前記表示部の輝度を同時に変更する減光モードを備え、前記減光モードでは段階的に前記表示操作部および前記表示部の輝度を変更し、前記表示部が消灯するときは前記表示操作部の輝度は操作ボタンの操作前と同じ若しくは低くすることを特徴とする加湿器。
【請求項２】
設定した時間になると運転を停止するタイマー運転機能を備え、前記タイマー運転時には前記表示操作部および前記表示部を通常の運転とは異なる輝度とし、前記タイマー運転と前記減光モードの両方が選択された場合には前記減光モードで設定した輝度を優先して表示することを特徴とする請求項１記載の加湿器。
【請求項３】
前記減光モード時には所定の情報を音で報知する報知動作を停止するが、操作ボタンの操作を音で報知する報知動作は停止しないことを特徴とする請求項１または２に記載の加湿器。
【発明の詳細な説明】
【技術分野】
【０００１】
本発明は、室内の乾燥を防止するための加湿器に関するものである。
【背景技術】
【０００２】
従来の加湿器では、使用者が操作しやすいよう本体の上面に操作ボタンが配置されたものが一般的であり、ボタン操作に伴い点灯・消灯して運転状態を表示する表示ランプも同じく本体上面に設けられている。またさらに、本体の正面に前述の表示ランプとは別に表示部を設けたものもあり、この表示部に湿度を表示させることによって、使用者が加湿器から離れた位置にいても室内の湿度を容易に確認することができるようにようになっている（特許文献１）。
【０００３】
そして、運転を停止させた際には、本体上面の表示ランプは消灯させるが、正面に設けた表示部の湿度は表示させたままにしている。これは室内の湿度を常に表示させておくことで、使用者が加湿器の運転の要否を判断することができるからである。
【０００４】
しかしながら、表示部が正面に設けられていると視認しやすくなる反面、就寝時には表示の明るさが気になって眠れないといった問題も発生する。そのため、運転停止時には表示部に湿度を表示しないよう設定することも可能になっている。
【先行技術文献】
【特許文献】
【０００５】
【特許文献１】特開２００７−４６８３５号公報
【発明の概要】
【発明が解決しようとする課題】
【０００６】
ところが、上述の加湿器では、表示を点灯するか消灯するかを選択するだけであるため、就寝時に気にならない程度の明るさで湿度表示はさせておきたいという要望には応えられないものであった。また、表示部を消灯するように設定できるのは運転停止時に限定した機能であって、加湿器を運転させたまま就寝する場合については考慮されていない。そのため、人によっては真っ暗な部屋の中では湿度表示の明るさが気になるだけでなく、運転状態を表示する表示ランプさえも煩わしく感じられることも考えられる。
【０００７】
本発明は、上記課題を解決するためのもので、使用者の好みによって表示部の明るさを簡単に調節することができ、特に就寝時の使用に適した加湿器を提供することを目的とする。
【課題を解決するための手段】
【０００８】
本発明は、本体の上面に設けられ機器の動作を指示する複数の操作ボタンを備えるとともに運転状態を表示する表示操作部と、本体の前記表示操作部とは異なる面に設けられた表示部とを有する加湿器において、操作ボタンの操作により前記表示操作部および前記表示部の輝度を同時に変更する減光モードを備え、前記減光モードでは段階的に前記表示操作部および前記表示部の輝度を変更し、前記表示部が消灯するときは前記表示操作部の輝度は操作ボタンの操作前と同じ若しくは低くすることを特徴とする加湿器である。
【００１１】
また、設定した時間になると運転を停止するタイマー運転機能を備え、前記タイマー運転時には前記表示操作部および前記表示部を通常の運転とは異なる輝度とし、前記タイマー運転と前記減光モードの両方が選択された場合には前記減光モードで設定した輝度を優先して表示することを特徴とする請求項１記載の加湿器である。
【００１２】
また、前記減光モード時には所定の情報を音で報知する報知動作を停止するが、操作ボタンの操作を音で報知する報知動作は停止しないことを特徴とする請求項１または２に記載の加湿器である。
【発明の効果】
【００１３】
上述のように構成することにより、ボタン操作で表示操作部と表示部の輝度を下げたり消灯したりできるので、表示の明るさが気になる就寝時等において使い勝手の良い加湿器となる。
【図面の簡単な説明】
【００１４】
【図１】本発明の加湿器を示す斜視図である。
【図２】本発明の加湿器の内部構成図である。
【図３】本発明の表示操作部の拡大図である。
【図４】本発明の減光モードにおける表示操作部と表示部の輝度をデューティー比で表した表である。
【図５】減光モードにおける輝度のその他の例を表した表である。
【図６】本発明の制御装置を示すブロック図である。
【発明を実施するための形態】
【００１５】
好適と考える本発明の実施形態を、本発明の作用を示して簡単に説明する。
【００１６】
本発明の加湿器は、本体の上面に運転状態を表示する表示操作部、側面もしくは正面には湿度表示等を行う表示部が設けられ、これら表示の輝度を操作ボタンを操作することで変更することのできる減光モードを備えている。そして、この減光モードでは表示操作部は輝度を低下させるのみで消灯はさせないが、表示部は輝度低下の他に消灯させることができる。
【００１７】
具体的には、減光モードの輝度レベルとして、表示操作部が例えば高、中、低の３段階を備えているならば、表示部はこの他に消灯を備えており、ボタン操作によって輝度レベルを選択することができるようになっている。
【００１８】
つまり、減光モードにおいて、全ての表示を消灯してしまうと、使用者は運転が停止していると勘違いしてしまうおそれがある。そのため、この減光モードでは、表示部は輝度を下げる他に消灯させることもできるが、表示操作部は輝度を下げるだけで消灯はさせないようにしている。
【００１９】
したがって、就寝時に加湿器を運転させる場合にはこの減光モードを選択すれば、表示の輝度を低くする若しくは消灯するかして睡眠の妨げにならないようにすることができるし、上面の表示操作部は輝度が低下するが消灯はしないので、気にならない明るさに設定することで常に運転状態を確認することができて運転停止と勘違いされることもない。
【００２０】
また、表示操作部と表示部の両方とも輝度を下げるのであれば、表示操作部と表示部の輝度を一つのボタン操作で同時に変更できるようにすることにより、操作性がよくなる。
【００２１】
また、ボタン操作するごとに輝度レベルを段階的に高→中→低へと変更する場合、表示部は「低」のあとに「消灯」を備えているので、表示操作部と表示部の輝度レベルの段数が合わなくなってしまう。そこで、表示部が消灯となるときは、表示操作部はボタン操作前の輝度を維持するか、若しくはさらに輝度を低くして輝度レベルの段数を合わせる。例えば、表示部が高→中→低→消灯であるならば、表示操作部は高→中→低→低若しくは高→中→低→極低とすれば、表示操作部と表示部を一つの操作ボタンで同時に変更することができるので、さらに操作性がよくなる。
【００２２】
また、設定した時間になると運転を停止するタイマー運転機能を備えている場合、このタイマー運転は主として就寝時に使用されるため、タイマー運転時は通常運転時よりも輝度を低くして加湿運転が行われる。しかし、タイマー運転と同時に減光モードが選択された場合には、減光モードで設定した輝度で表示されるようにして使用者の好みの明るさを優先させた表示を行う。
【００２３】
また、給水などの所定の情報は、通常運転時には音と表示ランプの両方で報知を行うが、減光モード時には音による報知を行わず表示ランプによる報知のみとし、就寝時に報知音で目が覚めてしまうことのないようにする。しかし操作ボタンを操作した際の操作音は、減光モード時であっても音による報知を行うため、使用者は操作ボタンが受け付けられたことを認識でき、故障しているとの誤解を招くことが防止される。
【実施例１】
【００２４】
以下本発明の一実施例を図面により説明する。
【００２５】
図１、２は実施例の加湿器の構成を示した図であって、加湿器の本体１の上部には運転の開始・停止の指示や設定湿度等を入力するための各種ボタンを備えた表示操作部２と、本体１内で加湿された空気を室内に放出するための吹出口３が設けられている。また、本体１の正面には室内の湿度をセグメント表示する表示部４を備え、そして本体１の背面には室内の空気を本体１内部に取り入れるための吸込口５が設けられている。
【００２６】
本体１の内部には、図示しない給水タンクから供給された水を一定水量貯える水槽部６、水槽部６内に配置され水槽部６に貯えられた水を吸水して湿潤する気化フィルター７、室内空気を吸込口５から取り込み湿潤している気化フィルター７を通過させ加湿空気として吹出口３より室内に放出する送風機８、気化フィルター７の上流に配置され送風機８によって吸込口５から取り込まれた空気を加熱する温風用ヒータ９が設けられている。
【００２７】
そして図３に示すように、表示操作部２には操作ボタンとして、加湿器の運転・運転停止を指示する運転ボタン２０、運転方法を切り換える運転切換ボタン２１、目標湿度を設定する湿度設定ボタン２２、タイマー運転を設定するタイマー設定ボタン２３、チャイルドロックを設定するチャイルドロックボタン２４、表示の輝度を変更する減光モードを設定するおやすみボタン２５、気化フィルター７の清掃を行った後で後述するお手入れランプを消灯させるためのリセットボタン２６を備えている。
【００２８】
さらに表示操作部２には表示ランプとして、運転切換ボタン２１により選択された運転方法が表示される運転モードランプ３０、湿度設定ボタン２２により設定された目標湿度が表示される湿度設定ランプ３１、タイマー運転時間を表示するタイマーランプ３２、チャイルドロックが設定されているときに点灯するチャイルドロックランプ３３、給水タンクの水がなくなったときに点滅する給水ランプ３４、温風用ヒータ９に通電して加湿運転を行っているときに点灯するハイブリッドランプ３５、気化フィルター７のお手入れ時期となったときに点滅するお手入れランプ３６を有している。なお、表示ランプが複数のランプの集まりであるものについては破線囲みで示している。
【００２９】
運転方法は「標準」「省エネ」「静音」のいずれかを選択するようになっており、運転切換ボタン２１を操作するごとに運転方法が切り換り、運転モードランプ３０が順に点灯する。また、目標湿度は「５０％」「６０％」「７０％」のいずれかを選択するようになっており、湿度設定ボタン２２を操作するごとに目標湿度が切り換り、湿度設定ランプ３１が順に点灯するように構成されている。
【００３０】
チャイルドロックは、チャイルドロックボタン２４を長押し（実施例では３秒）することで設定と解除が行われ、チャイルドロックが設定されているときにはチャイルドロックランプ３３が点灯する。
【００３１】
おやすみボタン２５を操作すると、操作表示部２の表示ランプと表示部４の輝度を段階的に変更する減光モードが設定される。図４は減光モードにおける表示の輝度をデューティー比で表した表であって、本実施例では通常運転時をレベル０とし、レベル０からレベル３までの４段階に変更が可能となっていて、おやすみボタン２５を１回操作するごとにレベル０→レベル１→レベル２→レベル３→レベル０（通常運転時に戻る）へと表示操作部２と表示部４の輝度レベルが同時に変更されるようになっている。
【００３２】
通常運転時であるレベル０のデューティー比を１００％とすると、レベル１では表示操作部２、表示部４ともにデューティー比５０％、レベル２ではデューティー比３３％で制御される。そして、レベル３では表示部４をデューティー比０％として消灯させる一方で表示操作部２はレベル２と同じデューティー比３３％で制御する。つまり、レベル３を選択したときには表示部４は消灯となるが、表示操作部２はレベル２と同じ輝度を維持し消灯はさせない。
【００３３】
表示操作部２と表示部４の両方を消灯させてしまうと、加湿器から離れた位置からでは運転しているかどうかを確認することが困難になるが、表示操作部２は輝度が低下しても必ず点灯しているため、離れた位置からでも運転中であることを容易に確認することができる。また、表示操作部２は輝度レベルに消灯を備えていないので、実際には表示操作部２と表示部４の輝度レベルの段数が異なるのだが、表示部４が消灯となるときは、表示操作部２はボタン操作前の輝度を維持することで、表示操作部２と表示部４を一つのボタン操作で同時に変更することができ操作性にも優れている。
【００３４】
なお、表示部４が消灯する際に操作表示部２が点灯するようになっていれば、減光モードにおける輝度レベルの数やデューティー比は本実施例に限定するものではなく、適宜設定可能である。例えば図５に示すように、表示部４が消灯するレベル３において表示操作部２のデューティー比をレベル２よりもさらに低い２５％としても、図４の場合と同じ効果を得ることができる。
【００３５】
また、減光モードを設定する方法としては、おやすみボタン２５を設けずに、例えばチャイルドロックボタン２４のような他のボタンと兼用する構成としてもよい。具体的には、チャイルドロックボタン２４の押し方によって機能を兼用させるようにして、長押しした場合にはチャイルドロックを設定し、一方、短く押したときは減光モードを設定する。このように操作ボタンを兼用することで、おやすみボタン２５が不要となり部品数を減らすことができる。
【００３６】
タイマー運転とは、所定の運転時間が経過したときに運転を停止させる機能であり、運転時間は「２時間」「４時間」から選択し、タイマー設定ボタン２３を操作するごとに運転時間が切り換り、タイマーランプ３２が点灯または消灯するようになっている。
【００３７】
このタイマー運転は就寝時に設定されることが多く、表示の輝度を通常運転時と同じにすると明るさが気になって眠れないことが想定されるため、タイマー運転が選択されたときには自動的に表示操作部２の表示ランプや表示部４のデューティー比を下げて通常運転時よりも輝度を低下させるようになっている。
【００３８】
そして、図６は制御装置の構成を示すブロック図であり、マイコン１０の入力側には、表示操作部２に配置した各種操作ボタン、室内の湿度を検知する湿度センサ１１が接続されている。また、マイコン１０の出力側には、表示操作部２の表示ランプ、表示部４、送風機８、温風用ヒータ９が接続されている。
【００３９】
次に上述の構成における動作を説明する。
【００４０】
給水タンクを本体１にセットすると、水槽部６には一定水位の水が貯えられるので、水槽部６に設置されている気化フィルター７は毛細管現象により水槽部６の水を吸い上げて湿潤する。
【００４１】
そして、表示操作部２の運転ボタン２０を入れ、さらに湿度設定ボタン２２で目標とする湿度を選択し、運転切換ボタン２１にて運転の方法を選択すると、送風機８が始動して室内の空気は吸込口５から加湿器の本体１内に取り入れられ、気化フィルター７を通過する際に加湿空気となり吹出口３から排出される。ここで、図２の白矢印は本体１内に取り入れられた空気の流れを、黒矢印は水分を含んだ加湿空気の流れを表すものである。そして、湿度センサ１１により室内の湿度が検出され、その情報がマイコン１０に送られる。
【００４２】
マイコン１０は、湿度設定ボタン２２により設定された設定湿度と湿度センサ１１が検出した検出湿度の差を算出し、送風機８の回転数と温風用ヒータ９への通電率を決定し加湿量を制御する。例えば、検出湿度が設定湿度より小さく、その差が大きい場合には、送風機８の回転数と温風用ヒータ９への通電率を最大にして設定湿度に早く近づけるように加湿運転を行う。その後、検出湿度が設定湿度に対して所定値以上となるか、または設定湿度以上を一定時間維持すれば検出湿度が安定領域に入ったと判定し送風機８の回転数と温風用ヒータ９への通電率を制限して加湿運転を継続する。
【００４３】
湿度センサ１１により検知された室内の湿度は本体１の側面に設けられた表示部４に数値で表示されるので、使用者は遠くからでも室内の湿度を確認することができる。
【００４４】
また、加湿器の運転によって水が消費されて、給水タンク内の水がなくなると水槽部６の水位が低下するので、マイコン１０は水位が所定値以下になったことを検知すると給水ランプ３４を点滅させ、さらに給水タンクへの給水が必要であることを音で報知する。
【００４５】
また、気化フィルター７は定期的なメンテナンスが必要になるため、運転時間に関わらず、加湿器に電源が投入されてから所定期間が経過するとお手入れランプ３６を点滅させて使用者にお手入れ時期となったことを報知する。このとき、音による報知を併用する構成としてもよい。使用者はお手入れランプ３６が点滅したときには、気化フィルター７を本体１から取り外して洗浄した後、気化フィルター７を本体１に設置してリセットボタン２６を操作すると、お手入れランプ３６が消灯する。
【００４６】
ところで、加湿器を運転させたまま就寝するとき、暗い室内では表示がまぶしく感じられることもある。そこで、表示の輝度を低下させたいときはおやすみボタン２５を操作して、減光モードを選択する。減光モードではおやすみボタン２５の操作回数によって輝度がレベル０→レベル１→レベル２→レベル３と変更され、表示操作部２と表示部４は図４のデューティー比にしたがって輝度が制御される。
【００４７】
通常運転時であるレベル０をデューティー比１００％とすると、レベル１ではデューティー比５０％、レベル２ではデューティー比３３％に設定されるため表示操作部２と表示部４は輝度が低下する。そして、レベル３では表示部４はデューティー比が０％となるため消灯するが、表示操作部２はレベル２と同じデューティー比３３％に設定する。つまり、レベル３を選択したときには表示部４は消灯するが、表示操作部２はレベル２と同じ輝度を維持して点灯しているので、離れた位置からでも運転中であることを容易に確認することができ運転停止と勘違いしてしまうこともない。
【００４８】
なお、通常運転時には音による報知を行うような場合でも、この減光モードが選択されているときは音による報知は行わないこととし、睡眠を妨げないようになっている。例えば給水タンクの水がなくなった場合、通常運転時には給水ランプ３４を点滅させつつ音による報知も行うが、減光モード時では給水ランプ３４が点滅するのみとなる。そして、水槽部６の水が完全になくなると給水ランプ３４は点滅したままで自動的に運転が停止されるので、使用者は朝起きたときに給水ランプ３４が点滅してることに気付いたら給水タンクに水を補給すればよい。
【００４９】
また、表示操作部２のボタンを操作すると、操作が受け付けられたことが確認できるよう操作音が発せられるようになっているが、減光モード時に操作音までも発しないようにしてしまうと、使用者はボタン操作が受け付けられていない、または故障しているかもしれないと思うおそれがある。そのため、減光モードが選択されたときであっても操作音は発せられるようになっている。減光モード時の操作音の音量は通常運転時と同じでも構わないが、音量を下げるようにすれば同じ部屋で就寝中の人がいても気を使うことなく操作することができる。
【００５０】
また、就寝時にはタイマー運転を使用することも多い。タイマー運転を選択すると表示の輝度は自動的に通常運転時よりも低く設定されるようになっているが、タイマー運転と減光モードが同時に選択された場合には減光モードで設定した輝度が優先される。つまり、タイマー運転時に減光モードを選択すると、表示の輝度は減光モードで設定したレベルに変更され、反対に減光モード時にタイマー運転を選択したときには、表示の輝度は減光モードで設定したままなので変わらない。
【符号の説明】
【００５１】
１    本体
２    表示操作部
４    表示部
【図１】
0005576778.tif 000002
【図２】
0005576778.tif 000003
【図３】
0005576778.tif 000004
【図４】
0005576778.tif 000005
【図５】
0005576778.tif 000006
【図６】
0005576778.tif 000007